(57)【要約】【課題】カード通路を一方向にスライド移動させるような操作で、カードのタイプによらずにデータの読み取り等を行えるようにする。【解決手段】ストッパ２０３によって第１カード通路１０２のスライド移動が規制されたカードＣのＩＣチップＴと接触してデータの読み取り又は書き込みを行うヘッド２０２を有するＩＣカードリーダライタユニット２０１と、第１カード通路１０２と直列な第２カード通路１０３をスライド移動するカードＣの磁気ストライプＳと接触してデータの読み取りを行う磁気ヘッド３０２を有する磁気カードリーダユニット３０１とを備えさせ、第１カード通路１０２と第２カード通路１０３とが連通するように磁気カードリーダユニット３０１に対して接離自在にＩＣカードリーダライタユニット２０１を支持して、ＩＣカードリーダライタユニット２０１が磁気カードリーダユニット３０１に近接する位置でストッパ２０３による規制を解除するようにした。【選択図】図１
2007188207.tif 000002
【特許請求の範囲】
【請求項１】
磁気ストライプ又はＩＣチップの少なくとも一方を有するカードを一方向にスライド移動するためのスリット状の第１カード通路と、前記第１カード通路をスライド移動する前記カードのスライド移動を解除自在に規制するためのストッパと、前記カードのスライド移動を規制する状態で前記ストッパを解除自在にロックするロック機構と、ロックされた前記ストッパによりスライド移動が規制された前記カードのＩＣチップと接触する位置に配置されてこのＩＣチップに対するデータの読み取り又は書き込みを行うヘッドと、を有するＩＣカードリーダライタユニットと、
前記ＩＣカードリーダライタユニットよりもカード移動方向下流側に設けられ、前記第１カード通路と直列配置された前記カードを一方向にスライド移動するためのスリット状の第２カード通路と、前記第２カード通路をスライド移動する前記カードの磁気ストライプと接触してこの磁気ストライプが記憶するデータの読み取りを行う磁気ヘッドと、を有する磁気カードリーダユニットと、
前記第１カード通路と前記第２カード通路とが連通するように前記磁気カードリーダユニットに対して接離自在に前記ＩＣカードリーダライタユニットを支持する連通機構と、
前記ＩＣカードリーダライタユニットが前記磁気カードリーダユニットに近接する位置で前記ストッパによる前記カードのスライド移動の規制を解除するように前記ロック機構によるロックを解除する解除機構と、
を備えるカード処理装置。
【請求項２】
前記磁気カードリーダユニットに近接する位置に位置付けられた前記ＩＣカードリーダライタユニットを前記磁気カードリーダユニットから離反する方向に移動させる移動機構を備える、請求項１記載のカード処理装置。
【発明の詳細な説明】
【技術分野】
【０００１】
本発明は、カード処理装置に関する。
【背景技術】
【０００２】
従来、カードの磁気ストライプに各種データを記憶する磁気カードは、例えば身分証やクレジットカード等様々な用途に使用されて広く普及している。ここで、磁気カードは、一般的に、カード処理装置のハウジングに直線的に形成されたスリット状のカード通路をスライド移動させて、カード通路に沿って配置された磁気ヘッドに対してカードの磁気ストライプをこするように接触させることで、データの読み取りを行う。
【０００３】
また、近年、磁気カードを代替する物として、ＩＣ（Ｉｎｔｅｇｒａｔｅｄ  Ｃｉｒｃｕｉｔ）チップにデータを記憶させた接触型ＩＣカードが普及し始めている。接触型ＩＣカードは、カード処理装置に形成された挿入口からカードを挿入して静止させた状態で、カードのＩＣチップとデータ読み取り又は書き込みのためのヘッドとを接触させることで、データの読み取り等を行う。
【０００４】
このように、データを記憶するカードには複数のタイプが存在しており、また、その読み取り操作も異なるため、データの読み取りに際してはカードのタイプについて判別を行う必要がある。そこで、特許文献１には、複数タイプのカードについてデータの読み取りができるカード処理装置が開示されている。このカード処理装置を使用することで、操作者はカードのタイプを意識せずに作業を行うことができる。このとき、データの読み取りは、カード処理装置のハウジングの前面又は後面の挿入口からカードを挿入させて行われる。
【０００５】
【特許文献１】特開２００３−１９６６１８公報
【発明の開示】
【発明が解決しようとする課題】
【０００６】
ところで、従来から磁気カードは広範に普及しているため、その読み取り操作についても広く慣れ親しまれている。そして、いずれのタイプのカードであってもデータの読み取りはこの慣れ親しんだ操作、つまり、スリット状のカード通路をスライド移動させるような操作で行いたいという要望が強い。
【０００７】
しかし、前述したように、接触型ＩＣカードのデータの読み取り又は書き込みについては、ヘッドとカードのＩＣチップとを静止させて接触させる必要があるため、カード通路をスライドさせる操作でデータの読み取り等を行うことは困難である。特許文献１に開示のカード処理装置は、カードのタイプを意識せずに作業を行うことはできるが、カードをスライド移動させる操作でデータの読み取りは行えない。
【０００８】
本発明の目的は、カードのタイプによらずに、カード通路をスライドさせるような操作でデータの読み取り等を行えるようにすることである。
【課題を解決するための手段】
【０００９】
本発明のカード処理装置は、磁気ストライプ又はＩＣチップの少なくとも一方を有するカードを一方向にスライド移動するためのスリット状の第１カード通路と、前記第１カード通路をスライド移動する前記カードのスライド移動を解除自在に規制するためのストッパと、前記カードのスライド移動を規制する状態で前記ストッパを解除自在にロックするロック機構と、ロックされた前記ストッパによりスライド移動が規制された前記カードのＩＣチップと接触する位置に配置されてこのＩＣチップに対するデータの読み取り又は書き込みを行うヘッドと、を有するＩＣカードリーダライタユニットと、前記ＩＣカードリーダライタユニットよりもカード移動方向下流側に設けられ、前記第１カード通路と直列配置された前記カードを一方向にスライド移動するためのスリット状の第２カード通路と、前記第２カード通路をスライド移動する前記カードの磁気ストライプと接触してこの磁気ストライプが記憶するデータの読み取りを行う磁気ヘッドと、を有する磁気カードリーダユニットと、前記第１カード通路と前記第２カード通路とが連通するように前記磁気カードリーダユニットに対して接離自在に前記ＩＣカードリーダライタユニットを支持する連通機構と、前記ＩＣカードリーダライタユニットが前記磁気カードリーダユニットに近接する位置で前記ストッパによる前記カードのスライド移動の規制を解除するように前記ロック機構によるロックを解除する解除機構と、を備える。
【発明の効果】
【００１０】
本発明によれば、カードのＩＣチップとヘッドとを接触させた状態でＩＣカードリーダライタユニットごとカード移動方向にスライド移動させることができ、また、ＩＣカードリーダライタユニットが磁気カードリーダユニットに近接した位置でストッパによる規制が解除されて、磁気カードリーダユニットの第２カード通路をスライド移動させて磁気ヘッドと磁気ストライプとを接触させることができるので、カードのタイプによらずにスリット状のカード通路を一方向にスライド移動させる操作でデータの読み取り等を行うことができる。
【発明を実施するための最良の形態】
【００１１】
本発明の実施の一形態を図面に基づいて説明する。
【００１２】
図１は、本実施の形態のカード処理装置１０１の内部構造を概略的に示す斜視図である。カード処理装置１０１は、ハウジング（図示しない）内部に設けられたＩＣカードリーダライタユニット２０１と磁気カードリーダユニット３０１とから構成されている。
【００１３】
まず、ＩＣカードリーダライタユニット２０１について説明する。ＩＣカードリーダライタユニット２０１は、カードＣを一方向（以下、カード移動方向Ａと称する）にスライド移動させるための第１カード通路としてスリット状のカード通路１０２を形成するスリット部２０１ａを備えている。また、このスリット部２０１ａの終端部には、カード通路１０２の終端を起立した状態で塞ぐことでカードＣのカード移動方向Ａへのスライド移動を規制する板状部材のストッパ２０３が設けられ、さらに、カード通路１０２を塞ぐ方向にストッパ２０３を押えてロック状態にする鍵部２０４が設けられている。そして、ＩＣカードリーダライタユニット２０１は、ストッパ２０３によりスライド移動が規制されたカードＣが有するＩＣチップＴと接触する位置に配設されてＩＣチップＴに対してデータの読み取り又は書き込みを行うヘッド２０２を備えている。
【００１４】
ところで、カード処理装置１０１には、磁気カードリーダユニット３０１とこの磁気カードリーダユニット３０１の上流側に設けられたレール保持部６０１との間に磁気カードリーダユニット３０１のカード通路１０３と平行に配設されたレール５０１が設けられている。また、ＩＣカードリーダライタユニット２０１の裏面側には、カード通路１０２と平行な溝５０２が形成されている。
【００１５】
このとき、レール５０１と溝５０２とは、溝５０２に対してレール５０１が嵌め込まれた状態でＩＣカードリーダライタユニット２０１がスライド移動できるように形成されており、また、溝５０２に対してレール５０１が潤滑材（例えばシリコングリス等）を介して嵌め込まれているため、ＩＣカードリーダライタユニット２０１は、レール保持部６０１と磁気カードリーダユニット３０１との間でレール５０１に沿ってスライド移動自在であり、したがって磁気カードリーダユニット３０１に対して接離自在となっている。
【００１６】
また、カード処理装置１０１は、レール保持部６０１及びＩＣカードリーダライタユニット２０１に取り付けられたばねフック４０２と、ばねフック４０２にかけられてＩＣカードリーダライタユニット２０１をレール保持部６０１側に引っ張る引っ張りばね４０１とを備えている。そして、通常、ＩＣカードリーダライタユニット２０１は、図１に示すように、引っ張りばね４０１によってレール保持部６０１側に引っ張られてこのレール保持部６０１と接触した位置に位置付けられており、磁気カードリーダユニット３０１に近接する方向に位置付けられると、引っ張りばね４０１に引っ張られて磁気カードリーダユニット３０１から離反する方向にレール５０１上をスライド移動して元の位置に位置復元する。
【００１７】
次に、磁気カードリーダユニット３０１について説明する。磁気カードリーダユニット３０１は、ＩＣカードリーダライタユニット２０１に対してカード移動方向Ａ下流側に配置されて位置固定されている。そして、ＩＣカードリーダライタユニット２０１と同様に、カードＣをスライド移動するための第２カード通路としてスリット状のカード通路１０３を形成するスリット部３０１ａを備えている。このとき、カード通路１０３とカード通路１０２とは直列に配置されている。また、カード通路１０３をスライド移動するカードＣが有する磁気ストライプＳと接触する位置に、磁気ストライプＳが記憶するデータを読み取る磁気ヘッド３０２が配設されている。さらに、磁気カードリーダユニット３０１に近接した状態のＩＣカードリーダライタユニット２０１の鍵部２０４と接触する解除部３０３が設けられている。
【００１８】
そして、ＩＣカードリーダライタユニット２０１がレール５０１に沿ってスライド移動して磁気カードリーダユニット３０１に近接する位置でスリット部２０１ａの終端部とスリット部３０１ａの始端部とが接触し、直列に配置されたカード通路１０２とカード通路１０３とは連通する（図４参照）。ここに連通機構が実現されている。
【００１９】
図２は、カード処理装置１０１の一部を拡大して示す斜視図である。図２に基づいて、ストッパ２０３について説明する。
【００２０】
ストッパ２０３は、一方向に長い板状部材であり、両側部が同一方向に直角に折り曲げられてストッパ２０３の一面側（以下、裏面側と称する）に溝を形成している。そして、折り曲げられた側部の一方には、側方に延出して裏面側に凹部を有する側面部２０３ａが一体的に取り付けられている。また、ストッパ２０３の一端側（以下、後端側と称する）の両側部には軸２０３ｂが貫通しており、この軸２０３ｂがスリット部２０１ａ終端に設けられた軸保持部２０３ｃに保持されて、ストッパ２０３は、軸２０３ｂを中心に回動自在に設けられている。また、軸２０３ｂにはトーションばね２０３ｄが巻かれて取り付けられており、このトーションばね２０３ｄの両アーム部が開こうとする力によって倒伏自在に起立している。そして、ストッパ２０３は、軸２０３ｂを回動中心にして倒伏した状態で裏面側と反対側の面（以下、表面と称する）の高さと、スリット部２０１ａが形成するカード通路１０２の底面の高さとが同じになるように設けられている（図４参照）。なお、磁気カードリーダユニット３０１のスリット部３０１ａの始端側には側方から見て扇状の切り欠け部が形成されている。これにより、ＩＣカードリーダライタユニット２０１が磁気カードリーダユニット３０１に近接してカード通路１０２とカード通路１０３とが連通する位置で、ストッパ２０３がスリット部３０１ａと接触せずに倒伏できるようになっている。
【００２１】
そして、ＩＣカードリーダライタユニット２０１は、つるはしのような形状の先端部２０４ａを有する鍵部２０４を備えている。鍵部２０４は、両側部が同一方向に直角に折り曲げられて一面側に溝を形成しているストッパ２０３と同様な形状を有する支柱部２０４ｂを備えている。支柱部２０４ｂの一端側の両側部には軸２０４ｃが貫通しており、この軸２０４ｃがスリット部２０１ａ側方に設けられた台部２０１ｂに形成された軸保持部２０４ｄに保持されて、鍵部２０４は軸２０４ｃを中心に回動自在となっている。そして、軸２０４ｃにはトーションばね２０４ｅが巻かれて取り付けられており、このトーションばね２０４ｅの両アームが開こうとする力によって、鍵部２０４は、その先端部２０４ａがストッパ２０３の側面部２０３ａの凹部に嵌め込まれた状態でカード通路１０２を塞ぐ方向にストッパ２０３を押圧してロック状態とする。ストッパ２０３は、その表面側がカード移動方向Ａにスライド移動するカードＣに押されても、この鍵部２０４の力によってカード通路１０２の終端を開放しない。ここに、ロック機構が実現されている。
【００２２】
また、磁気カードリーダユニット３０１は、直角に屈曲された棒状部材の解除部３０３を備えている。解除部３０３は、ＩＣカードリーダライタユニット２０１方向に向けられた先端部３０３ａが、鍵部２０４の先端部２０４ａとは反対側の後端部２０４ｆと接触する位置に設けられており、ＩＣカードリーダライタユニット２０１が磁気カードリーダユニット３０１に対して近接した状態で、解除部３０３の先端部３０３ａによって、鍵部２０４の後端部２０４ｆが押圧される（図４参照）。
【００２３】
次に、カード処理装置１０１におけるカードＣのデータの読み取りについて、図３ないし図５に基づき説明する。なお、図３ないし図５においては、図１又は図２で説明した部分と同じ部分は同じ符号で示し、説明も省略する。
【００２４】
図３は、ヘッド２０２がカードＣのＩＣチップＴと接触してデータの読み取り又は書き込みを行っている状態のカード処理装置１０１を示す斜視図である。
【００２５】
ＩＣカードリーダライタユニット２０１のカード通路１０２にカードＣを差し込んでカード移動方向Ａにスライド移動させると、図３に示すように、カードＣは、鍵部２０４に押されたストッパ２０３と接触してスライド移動が規制される。そして、この状態で、カードＣのＩＣチップＴは、ヘッド２０２と接触してＩＣチップＴに対してのデータの読み取り又は書き込みが実行される。
【００２６】
このとき、ＩＣカードリーダライタユニット２０１はレール５０１に沿って移動自在であるため、ストッパ２０３がカードＣと接触して押されることで、カードＣをカード移動方向Ａにスライド移動させる力がＩＣカードリーダライタユニット２０１に働いて、ＩＣカードリーダライタユニット２０１はカード移動方向Ａにスライド移動する。このとき、ストッパ２０３は、鍵部２０４に押圧されてロック状態でありカード通路１０２を開放しない。
【００２７】
このように、カード処理装置１０１では、カードＣが、ＩＣチップＴを有する接触型ＩＣカードであっても、一方向にスライド移動させる操作によってデータの読み取り又は書き込みを行うことができる。
【００２８】
図４は、ＩＣカードリーダライタユニット２０１が磁気カードリーダユニット３０１に近接した状態のカード処理装置１０１を示す斜視図である。前述したように、ＩＣカードリーダライタユニット２０１が磁気カードリーダユニット３０１に対して近接してカード通路１０２とカード通路１０３とが連通すると、解除部３０３の先端部３０３ａによって、鍵部２０４の後端部２０４ｆがカード移動方向Ａと反対方向に押圧される。すると、鍵部２０４の先端部２０４ａがストッパ２０３の押圧を解除する方向に移動する。ここに、解除機構が実現される。そして、さらにカードＣをカード移動方向Ａにスライド移動させることで、鍵部２０４による押圧が解除されたストッパ２０３は、カードＣに押されて磁気カードリーダユニット３０１方向に倒伏する。続けてカードＣをスライド移動させると、図４に示すように、磁気カードリーダユニット３０１のスリット部３０１ａにカードＣを差し込ませて、カード通路１０３をスライド移動させることができるようになる。ここで、カードＣは、カード通路１０２からカード通路１０３に、倒伏したストッパ２０３の表面側を押えるようにしてスライド移動する。このとき、倒伏した状態のストッパ２０３の表面とカード通路１０２及びカード通路１０３の底面とは同じ高さに設けられており、ストッパ２０３を倒伏させた状態でカードＣを滑らかにスライド移動させることができる。
【００２９】
図５は、磁気ヘッド３０２がカードＣの磁気ストライプＳと接触してデータの読み取りを行っている状態のカード処理装置１０１を示す斜視図である。カードＣを、カード通路１０３に差し込まれた状態から、さらにカード移動方向Ａにスライド移動させることで、カードＣの磁気ストライプＳと磁気ヘッド３０２とがこするように接触し、磁気ストライプＳからのデータの読み取りが行われる。
【００３０】
そして、カードＣによってその表面側が押されなくなったストッパ２０３は、図５に示すように、起立して再びカード通路１０２を塞ぐ。また、ＩＣカードリーダライタユニット２０１に対するカード移動方向Ａの外力が働かなくなることから、ＩＣカードリーダライタユニット２０１は、引っ張りばね４０１に引っ張られて、図５に示すように、カード移動方向Ａと反対の方向にスライド移動して位置復元する。ここに、移動機構が実現される。
【００３１】
このとき、解除部３０３の先端部３０３ａと鍵部２０４の後端部２０４ｆとの接触が解消されるため、鍵部２０４は起立したストッパ２０３を再びカード通路１０２を塞ぐ方向に押圧する状態に戻る。つまり、ストッパ２０３は再びロック状態となる。
【００３２】
以上説明したように本実施の形態によれば、カードＣがＩＣカードであっても磁気カードであっても、カードＣをスライド移動させる操作でデータの読み取り等を行うことができる。したがって、両タイプのカードが並存して使用されている場合であっても、読み取りに際してカードのタイプを判別する作業は必要とされない。
【００３３】
ここで、カード処理装置１０１は、クレジット決済を行うための決済端末としての適用が考えられる。この場合、カードＣの磁気ストライプＳ又はＩＣチップＴにはクレジットカード番号や口座番号等のデータが記憶され、このデータがヘッド２０２又は磁気ヘッド３０２に読み取られる。そして、読み取られたカード番号等のデータに基づき、入力部（図示しない）等で入力された決済金額等とともにクレジットデータが作成されて、作成されたクレジットデータは通信回線を通じてクレジット会社や銀行等が備える決済機関コンピュータに送信される。また、決済機関コンピュータでは、送信されたクレジットデータに対して取引承認の処理が行われ、承認結果は再び決済端末としてのカード処理装置１０１へと送信されることになる。
【００３４】
ところで、現在、ＩＣカードによるクレジット決済では、取引承認の処理の他に決済時に入力する暗証番号に基づくＩＣカード特有のカード認証処理を行うため、従来の磁気カードによるクレジット決済よりも処理時間が長くかかる。そして、この間ＩＣチップＴとヘッド２０２とを接触させておく必要がある。このとき、カードＣのＩＣチップＴとヘッド２０２とを接触させた状態で、一般的な速度でＩＣカードリーダライタユニット２０１をスライド移動させると、ＩＣカードリーダライタユニット２０１は、数秒程度で磁気カードリーダユニット３０１に近接する位置まで移動してしまい、現状では、ＩＣカードによるクレジット決済に必要な処理時間に足りない。しかし、今後のＩＣカードによるクレジット決済のシステムの改善等によって、従来の磁気カードとほぼ同等の処理時間となることが予想されるため、本実施の形態のカード処理装置１０１を決済端末へ適用させることは可能となる。
【００３５】
図６は、カード処理装置１０１の内部構造の別の一例を概略的に示す斜視図である。図１ないし図５において示した部分と同一の機能を奏する部分は同一符号で示し、説明も省略する。
【００３６】
本実施の形態は、ストッパ２０３の形態を、図１ないし図５において示したカード処理装置１０１と異ならせて構成した一例である。ストッパ２０３は、ＩＣカードリーダライタユニット２０１に形成された収納部７０１に収納自在であってカード移動方向Ａと直交する方向にスライド移動自在な移動体７０２と一体成形されている。この移動体７０２は、収納部７０１に設けられた圧縮バネ７０３によって、ストッパ２０３がカード通路１０２を塞ぐ方向に弾性的に押圧されている（ロック状態）。
【００３７】
このような移動体７０２には、収納部７０１下面を露出させる中空部７０４が形成されており、中空部７０４内のカード通路１０２側に位置させて鉄板７０５が固定されている。そして、ＩＣカードリーダライタユニット２０１は、中空部７０４から露出した収納部７０１下面に形成された電磁石保持部７０６に固定して電磁石７０７を備えている。なお、電磁石７０７は図示しない磁気シールドシートに覆われている。電磁石７０７は、通電すると鉄板７０５を引き寄せる向きに固定されており、通電することで圧縮バネ７０３によってカード通路１０２側に押圧されている移動体７０２は、収納部７０１に収納される方向に移動し、ストッパ２０３はカード通路１０２の終端を開通させる。
【００３８】
電磁石７０７の通電について説明する。カード処理装置１０１は、ＩＣカードリーダライタユニット２０１が磁気カードリーダユニット３０１に近接する位置に位置付けられた場合に互いに接触するようにさせて、ＩＣカードリーダライタユニット２０１に設けられた端子７０８と、磁気カードリーダユニット３０１に設けられた端子７０９とを備えている。そして、端子７０８と端子７０９とが接触すると、電磁石７０７は電源（図示しない）と接続されて通電が行われ、ストッパ２０３のロック状態が解除される。
【００３９】
このように構成されたカード処理装置１０１は、図１ないし図５において示した部分と同一の機能を奏する。つまり、カードＣのＩＣチップＴとヘッド２０２とを接触させた状態でＩＣカードリーダライタユニット２０１ごとカード移動方向Ａにスライド移動させることができ、また、ＩＣカードリーダライタユニット２０１が磁気カードリーダユニット３０１に近接した位置でストッパ２０３のロック状態が解除されて、磁気カードリーダユニット３０１のカード通路１０３をスライド移動させて磁気ヘッド３０２と磁気ストライプＳとを接触させることができる。これにより、カードＣのタイプによらずに一方向にスライド移動させる操作でデータの読み取り等を行うことができる。
【図面の簡単な説明】
【００４０】
【図１】本実施の形態のカード処理装置の内部構造を概略的に示す斜視図である。
【図２】カード処理装置の一部を拡大して示す斜視図である。
【図３】ヘッドがカードのＩＣチップと接触してデータの読み取り又は書き込みを行っている状態のカード処理装置を示す斜視図である。
【図４】ＩＣカードリーダライタユニットが磁気カードリーダユニットに近接した状態のカード処理装置を示す斜視図である。
【図５】磁気ヘッドがカードの磁気ストライプと接触してデータの読み取りを行っている状態のカード処理装置を示す斜視図である。
【図６】カード処理装置の内部構造の別の一例を概略的に示す斜視図である。
【符号の説明】
【００４１】
１０１…カード処理装置，１０２…第１カード通路（カード通路），１０３…第２カード通路（カード通路），２０１…ＩＣカードリーダライタユニット，２０２…ヘッド，２０３…ストッパ，３０１…磁気カードリーダユニット，３０２…磁気ヘッド，Ａ…カード移動方向，Ｃ…カード，Ｓ…磁気ストライプ，Ｔ…ＩＣチップ
【図１】
2007188207.tif 000003
【図２】
2007188207.tif 000004
【図３】
2007188207.tif 000005
【図４】
2007188207.tif 000006
【図５】
2007188207.tif 000007
【図６】
2007188207.tif 000008